(57)【要約】【課題】  設定した傾斜角度で固定しやすく、屋内側のダクトと緊密に接続できる通気用パイプの提供。【解決手段】  壁面構成材９に固定する鍔２とこれに貫通させるパイプ３を備えた段付き傾斜通気パイプ１とする。パイプ３は壁７の外側と内側に突出する長さであると共に内端側に段差をもって径を小さくした差込み部５を備えている。また、面を垂直に配置した鍔２に、パイプ３の側面視下辺１０が水平面に対して外端側が低く内端側が高くなるように固定する。【選択図】                図３
0003105750.tif 000002
【実用新案登録請求の範囲】
【請求項１】
壁面構成材に固定する鍔と、これに貫通させたパイプを備え、パイプは壁の外側と内側に突出する長さであると共に内端側に段差を付けて径が小さなダクト差込み部が形成されており、面を垂直に配置した鍔に、パイプの側面視下辺が水平面に対して外端側が低く内端側が高くなるように固定してあることを特徴とする段差付き傾斜通気パイプ。
【請求項２】
段差はパイプの内端側から、パイプに接続するダクトとの嵌合長さを決める位置に形成してあることを特徴とした請求項１に記載の段差付き傾斜通気パイプ。
【請求項３】
段差はパイプの内端側から差し込まれるダクトのストッパーとなっていることを特徴とした請求項１に記載の段差付き傾斜通気パイプ。
【請求項４】
鍔とパイプの素材が合成樹脂であることを特徴とした請求項１〜３のいずれか一つに記載の段差付き傾斜通気パイプ。
【請求項５】
段差がパイプの肉厚程度としてあることを特徴とした請求項１〜４のいずれか一つに記載の段差付き傾斜通気パイプ。
【請求項６】
パイプの外端側面及び内端側面が鍔の面と平行に形成されていることを特徴とした請求項１〜５のいずれか一つに記載の傾斜通気パイプ。
【考案の詳細な説明】
【技術分野】
【０００１】
この考案は、壁面を貫通させて取付け、屋内側の給排気用のダクトと接続する通気パイプに関する。
【背景技術】
【０００２】
建物内の換気や有害な気体の排気を行うため、ダクトを建物内に設置することがある。この場合、ダクトを屋外へ連通させるため、予め壁に貫通させて固定した通気パイプを利用する。ダクトはスパイラル管や蛇腹管のことが多い。なお、通気パイプの屋外側端には換気フードを取り付けたり、換気扇を取付けることもある。
【特許文献１】特開２００３−３１４７８０号公報
【特許文献２】特開２０００−１２０９３８号公報
【特許文献３】特開２０００−２７４７６０号公報
【特許文献４】特開平８−１４４４４号公報
【考案の開示】
【考案が解決しようとする課題】
【０００３】
建物の施工において、通気パイプは建物の躯体が完成した後、壁に形成された貫通孔に差し込んで固定する。ついで、この通気パイプの内端（屋内側端）にダクトを接続する。このダクトは木造住宅などではいわゆるスパイラル管や蛇腹管であることが多い。このとき、通気パイプとダクトとの接続部から結露や雨水などが屋内側に侵入しないように、また、振動で脱落しないように、通気パイプに対するダクトの嵌合量を適切にする必要がある。
この考案は、通気パイプとダクトとの嵌合部から結露や雨水などが漏出して屋内側へ侵入することがなく、また、通気パイプとダクトとの嵌合が容易で、かつ、適切な嵌合量とできる通気パイプの提供を課題とする。
【課題を解決するための手段】
【０００４】
壁面を構成する部材（壁面構成部材）に固定する鍔と、鍔に貫通させたパイプとで通気パイプを構成する。パイプは壁の外側と内側に突出する長さであると共に内端側に段差を付けて径を小さくした差込み部を有する。パイプは、面を垂直に配置した鍔へパイプの側面視下辺（パイプの長手軸方向を正面・背面方向とし、その場合の側面視で下辺となる部分）が水平面に対して外端側が低く内端側が高くなるように固定する。 段差はパイプの内端側から、パイプに接続するダクトとの嵌合長さを決める位置に形成する。段差は、パイプの内端側から差し込まれるダクトの先端が当接するストッパーとすることがある。
鍔とパイプは、鍔の面を垂直にしたときパイプの側面視下辺が外端側で低く内端側で高くなる配置にして固定する。
【考案の効果】
【０００５】
鍔を壁面構成材に釘打ちなどで固定すると、壁面構成材は垂直に固定されているから、通気パイプは自動的に設定した角度で外端側が低く内端側が高い傾斜状態で壁に固定される。すなわち、パイプは自動的に設定した傾斜角度で壁へ固定されるから、傾斜パイプの取り付け作業が簡単である。また、パイプが外側へ傾斜しているから結露や雨水が屋内側へ移動することがなく、通気パイプとダクトとの接続部から漏れ出すことがない。
パイプの内端側に段差をもって径を小さくした差込部を形成してあるので、ダクトを差込み易く、且つ、段差によってその嵌合量を適切なものとすることができる。このためダクトの脱落や排気の漏出などを防止し、さらに、差込みすぎによる次工程への支障を防止することができる。
【考案を実施するための最良の形態】
【０００６】
合成樹脂でパイプと鍔を一体成形する。パイプには内端側に段差をもって径を小さくした挿し込みを形成する。外端側の径と内端側の径との差は素材が合成樹脂の場合は、パイプの肉厚程度とする。また、鍔に対するパイプの傾斜は、側面視下辺が水平面に対して０．５〜２．５°程度とする。
【実施例】
【０００７】
図１〜３は第１の実施例である。段付き傾斜通気パイプ１は、鍔２とパイプ３を備える。鍔２とパイプ３はこの実施例において、ポリプロピレン樹脂の一体成形品であり、肉厚はどの部分も約２．５ｍｍである。この段付き傾斜通気パイプ１は木造家屋の通気用であり、鍔２は一辺が１７０ｍｍの正方形、パイプ３は外端側の外径が１０５ｍｍ、内端側の外径が９７ｍｍ、パイプ３の全長は１８６ｍｍであり、内端から５４ｍｍの位置に段差４が形成されて小径となり、差込み部５となっている。なお、内端の外周縁は面取り６をしてある。
パイプ３は鍔２の面を垂直に配置したとき、パイプ３の側面視下辺が水平面と約１．３°の角度で交わるように外端側を低く内端側が高くなるように一体に固定される（図３）。
【０００８】
図３は、建築中の木造住宅の壁７にこの段付き傾斜通気パイプ１を取付けた状態を示したものであり、段付き傾斜通気パイプ１は、壁７に形成した貫通孔８に屋外側からパイプ部分を差込み、鍔２を壁面構成材９に釘打ちで固定してある。鍔２を壁面構成材９に固定すると、壁面構成材９は予め垂直に構成されているから、段付き傾斜通気パイプ１の側面視下辺１０は設定された角度、すなわち、この実施例では水平面（ｈ）に対して筒軸（ｐ）が約１．３°の角度で外端側が低く傾斜して壁７に固定される。段付き傾斜通気パイプ１のパイプ３は屋外側と屋内側に突出する。
【０００９】
段付き傾斜通気パイプ１の屋外側の突出部分には換気フード１１が取付けられて風雨の侵入や昆虫、鳥などの侵入を防止する。屋内端側には、この場合、スパイラル管のダクト１２が接続される。接続はパイプ３の差込み部５の径が小さいのと面取り６を形成してあるので、ダクト１２を接続しやすい。また、ダクト１２の挿し込み側先端部が段差４に衝突することで差込み量が過不足なく定まる。なお、パイプ３とダクト１２の嵌合部において、パイプ３の内面とダクト１２の外面は密着する。
【００１０】
図４は第２の実施例であり、図に誇張して示すように、パイプ３の外端側の面ｓ１、内端側の面ｓ２を面ｑ１、ｑ２のように鍔２と平行に形成することがある。このように形成すると、端面が正面を向くので作業者が換気フード１１やダクト１２を正確に嵌め込みやすい。
【００１１】
以上、実施例を示したが、鍔２やパイプ３はステンレスなどのスチール製とすることもある。鍔２の位置、鍔２やパイプ３の寸法は基本的に任意である。また、鍔２を壁７に固定する手段は釘打ちに限らない。段付き傾斜通気パイプ１は木造住宅以外に用いることもできるし、通気以外の、例えば、配管、配線を壁に貫通させる個所に利用することもできる。
【図面の簡単な説明】
【００１２】
【図１】斜視図
【図２】側面図
【図３】使用状態を断面で示した断面による側面図
【図４】模式的に示す側面図（第２の実施例）
【符号の説明】
【００１３】
１  段付き傾斜通気パイプ
２  鍔
３  パイプ
４  段差
５  差込み部
６  面取り
７  壁
８  貫通孔
９  壁面構成材
１０  パイプの側面視下辺
１１  換気フード
１２  ダクト
【図１】
0003105750.tif 000003
【図２】
0003105750.tif 000004
【図３】
0003105750.tif 000005
【図４】
0003105750.tif 000006